(57)【要約】【課題】個々人の体格及び脊柱の生理的湾曲の形状に合わせた腰の生理的湾曲を調整することのできる腰枕の製造方法及び腰枕を提供する。【解決手段】腰部に当接させて使用する腰枕を製造する方法であって、エックス線腰椎側面像に基づいて、大腿骨頭の略中心部を通る鉛直線と第３腰椎椎体の略中心部との間の水平方向の長さＡと、臀部の最端部と接する鉛直線と第３腰椎の高位の位置に相当する背部との間の水平方向の長さＢとの和（Ａ＋Ｂ）の値を求める工程と、腰枕を上面が断面円弧状に突出する細長略直方体に形成し、細長略直方体の底面から上面の頂部までの枕高さを和（Ａ＋Ｂ）の値とする工程を備える。【選択図】図１
2015043825.tif 000002
【特許請求の範囲】
【請求項１】
腰部に当接させて使用する腰枕を製造する方法であって、
エックス線腰椎側面像に基づいて、大腿骨頭の略中心部を通る鉛直線と第３腰椎椎体の略中心部との間の水平方向の長さＡと、臀部の最端部と接する鉛直線と第３腰椎の高位の位置に相当する背部との間の水平方向の長さＢとの和（Ａ＋Ｂ）の値を求める工程と、
前記腰枕を上面が断面円弧状に突出する細長略直方体に形成し、前記細長略直方体の底面から上面の頂部までの枕高さを前記和（Ａ＋Ｂ）の値とする工程とを備えることを特徴とする腰枕の製造方法。
【請求項２】
エックス線腰椎側面像に基づいて、第２腰椎の椎体上端部を通る水平線と、第４腰椎の椎体下端部又は腸骨稜上端部を通る水平線との間の鉛直方向の長さＣ１又はＣ２を求める工程と、
前記細長略直方体の短手方向の長さを前記鉛直方向の長さＣ１又はＣ２の値とする工程とを備えることを特徴とする請求項１に記載の腰枕の製造方法。
【請求項３】
エックス線腰椎側面像に基づいて、少なくとも第２腰椎の椎体前面の略中心部、第３腰椎の椎体前面の略中心部及び第４腰椎の椎体前面の略中心部を通る曲線の近似曲線の曲率半径Ｒを求める工程と、
前記細長略直方体の断面円弧状に突出する上面の曲率半径を、前記近似曲線の曲率半径Ｒが２４ｃｍ未満の場合には１９ｃｍ、２４ｃｍ以上の場合には２４ｃｍとする工程とを備えることを特徴とする請求項１又は２に記載の腰枕の製造方法。
【請求項４】
腰部に当接させて使用する細長略直方体の腰枕であって、
前記細長略直方体の上面は断面円弧状に突出する形状に形成され、
前記細長略直方体の底面から上面の頂部までの高さが、
腰椎側面視における大腿骨頭の略中心部を通る鉛直線と第３腰椎椎体の略中心部との間の水平方向の長さＡと、腰椎側面視における臀部の最端部と接する鉛直線と第３腰椎の高位の位置に相当する背部との間の水平方向の長さＢとの和（Ａ＋Ｂ）の値であることを特徴とする腰枕。
【請求項５】
前記細長略直方体の短手方向の長さが、
腰椎側面視における第２腰椎の椎体上端部を通る水平線と、第４腰椎の椎体下端部又は腸骨稜上端部を通る水平線との間の鉛直方向の長さＣ１又はＣ２であることを特徴とする請求項４に記載の腰枕。
【請求項６】
前記細長略直方体の断面円弧状に突出する上面の曲率半径が、
腰椎側面視における、少なくとも第２腰椎の椎体前面の略中心部、第３腰椎の椎体前面の略中心部及び第４腰椎の椎体前面の略中心部を通る曲線の近似曲線の曲率半径Ｒが２４ｃｍ未満の場合には１９ｃｍ、２４ｃｍ以上の場合には２４ｃｍであることを特徴とする請求項４又は５に記載の腰枕。
【発明の詳細な説明】
【技術分野】
【０００１】
本発明は、腰の生理的湾曲を調整するために用いられる腰枕を製造するための方法及びその腰枕に関する。
【背景技術】
【０００２】
人間の脊柱は、頸椎が前弯、胸椎が後弯、腰椎が前弯したＳ字カーブと呼ばれる生理的湾曲を備えている。この生理的湾曲は、頭や腕の荷重又は運動時に足から伝えられる衝撃を吸収し分散させるという重要な役割を果たしている。しかしながら、同じ姿勢を長時間取り続けることや運動不足といった何らかの原因によって、この生理的湾曲の形状が崩れることがある。とりわけ、腰椎部分の生理的湾曲の形状が崩れると、腰椎にかかるとされている体重の数倍程度の力や地面からの衝撃を吸収分散させることができず、腰回りの筋肉や骨格にこれらの応力が集中するために、筋肉が疲労して炎症を起こしたり、椎間板が逸脱して、腰痛や椎間板ヘルニア等を引き起こしやすい。
【０００３】
そこで、この崩れた生理的湾曲の形状を回復させ、又は正しい生理的湾曲の形状を維持させるための腰枕が検討されている。特許文献１には、腰椎を押圧して腰椎前弯を回復させるための略蒲鉾形状の腰枕が記載されている。この腰枕は、硬質の台板と半硬質フォームの緩衝材とで軟質フォームの中材を挟み、各部材を接合して形成されている。
【先行技術文献】
【特許文献】
【０００４】
【特許文献１】特開２０１３−９０８８９号公報
【発明の概要】
【発明が解決しようとする課題】
【０００５】
しかしながら、特許文献１に記載の腰枕では、その枕高さについて、使用者ごとに台板裏面に厚さ調整板を接着して調整する必要がある。この際、適当な枕高さとはどの程度の高さであるのか明確でないため、調整が難しいという問題がある。
【０００６】
また、この腰枕は、腰椎を押圧して腰椎前弯を回復するものであるが、個々人によって骨格や脊柱の生理的湾曲の形状は異なるところ、個々人に合った腰椎前弯を回復するようには構成されていない。
【０００７】
本発明は上述した点に鑑み案出されたもので、その目的は、個々人の骨格や脊柱の生理的湾曲の形状に合わせた腰の生理的湾曲を調整することのできる腰枕の製造方法及びその腰枕を提供することにある。
【課題を解決するための手段】
【０００８】
上記課題を解決するため、本発明の、腰部に当接させて使用する腰枕を製造する方法は、エックス線腰椎側面像に基づいて、大腿骨頭の略中心部を通る鉛直線と第３腰椎椎体の略中心部との間の水平方向の長さＡと、臀部の最端部と接する鉛直線と第３腰椎の高位の位置に相当する背部との間の水平方向の長さＢとの和（Ａ＋Ｂ）の値を求める工程と、腰枕を上面が断面円弧状に突出する細長略直方体に形成し、細長略直方体の底面から上面の頂部までの枕高さを和（Ａ＋Ｂ）の値とする工程とを備えている。
【０００９】
本発明の腰枕の製造方法によれば、使用者のエックス線腰椎側面像を用いて、使用者の骨格や腰椎カーブの形状に基づく所定の値（Ａ＋Ｂ）を求めることにより、腰枕の細長略直方体の底面から上面の頂部までの高さ、すなわち、使用者に適した腰枕の高さを容易かつ明確に得ることができる。それゆえ、主に仰臥状態で腰部に当接させることによって、腰枕の所定の高さで形成された断面円弧状の上面が腰部を押圧し、腰椎カーブの理想的なバランスの取れた位置である、大腿骨頭の略中心部を通る鉛直線が第３腰椎の椎体を通るように使用者の腰椎の形状を矯正することのできる腰枕を製造することができる。なお、本明細書において、鉛直方向とは使用者の頭足方向（立位における上下方向）のことをいい、鉛直線とはその鉛直方向の線のことをいう。また、水平方向とは使用者の腹背方向（前後の横断方向又は横方向）のことをいい、水平線とはその水平方向の線のことをいう。
【００１０】
また、本発明の腰枕の製造方法は、エックス線腰椎側面像に基づいて、第２腰椎の椎体上端部を通る水平線と、第４腰椎の椎体下端部又は腸骨稜上端部を通る水平線との間の鉛直方向の長さＣ１又はＣ２を求める工程と、細長略直方体の短手方向の長さを鉛直方向の長さＣ１又はＣ２の値とする工程とを備えていることも好ましい。これにより、使用者のエックス線腰椎側面像を用いて、所定の鉛直方向の長さＣ１又はＣ２を求めることにより、腰枕の細長略直方体の短手方向の長さ、すなわち、使用者に適した腰枕の短手方向の幅長さを容易かつ明確に得ることができる。それゆえ、使用者の５つの腰椎のうち第３腰椎を中心に第２腰椎〜第４腰椎を所定の高さで形成された湾曲面で押圧して腰椎の形状を矯正させつつ、第５腰椎より下に位置する仙骨や第１腰椎より上に位置する胸椎の湾曲形状には影響を与えず、第１腰椎や第５腰椎にはほとんど腰枕を当接させずに自然な高さで腰椎カーブを矯正することができる腰枕を製造することができる。
【００１１】
さらに、本発明の腰枕の製造方法は、エックス線腰椎側面像に基づいて、少なくとも第２腰椎の椎体前面の略中心部、第３腰椎の椎体前面の略中心部及び第４腰椎の椎体前面の略中心部を通る曲線の近似曲線の曲率半径Ｒを求める工程と、細長略直方体の断面円弧状に突出する上面の曲率半径を、近似曲線の曲率半径Ｒが２４ｃｍ未満の場合には１９ｃｍ、２４ｃｍ以上の場合には２４ｃｍとする工程とを備えることも好ましい。これにより、エックス線腰椎側面像に基づいて、使用者の腰椎カーブの曲率半径Ｒを容易かつ明確に得ることができる。それゆえ、得た腰椎カーブの曲率半径Ｒにより、使用者に適した腰枕の上面の曲率半径を選択することができ、腰椎カーブの矯正をより好適に行うことのできる腰枕を製造することができる。
【００１２】
本発明の腰枕は、腰部に当接させて使用する細長略直方体の腰枕であって、細長略直方体の上面は断面円弧状に突出する形状に形成され、細長略直方体の底面から上面の頂部までの高さが、腰椎側面視における大腿骨頭の略中心部を通る鉛直線と第３腰椎椎体の略中心部との間の水平方向の長さＡと、腰椎側面視における臀部の最端部と接する鉛直線と第３腰椎の高位の位置に相当する背部との間の水平方向の長さＢとの和（Ａ＋Ｂ）の値である。
【００１３】
本発明の腰枕は、上面が断面円弧状に突出する形状に形成された細長略直方体形状をしており、その断面円弧状の上面を腰部に当接させて使用するものであるところ、この腰枕の細長略直方体の底面から上面の頂部までの高さ、すなわち、本発明の腰枕の高さは、使用者の側面視における大腿骨頭の略中心部を通る鉛直線から第３腰椎の略中心部までの水平方向の長さＡと、使用者の側面視における臀部の最端部と接する鉛直線から第３腰椎の高位に相当する背部までの水平方向の長さＢとの和（Ａ＋Ｂ）の値として構成されている。これにより、主に仰臥状態において、この腰枕を使用者の腰部に当接させた際に、使用者に適した高さで形成された枕の上面が腰部を押圧し、腰椎カーブの理想的なバランスの取れた状態である、大腿骨頭の略中心部を通る鉛直線が第３腰椎の椎体を通るように使用者の腰椎カーブを矯正することができる。
【００１４】
また、本発明の腰枕は、細長略直方体の短手方向の長さが、腰椎側面視における第２腰椎の椎体上端部を通る水平線と、第４腰椎の椎体下端部又は腸骨稜上端部を通る水平線との間の鉛直方向の長さＣ１又はＣ２であることも好ましい。これにより、使用者の５つの腰椎のうち第３腰椎を中心に第２腰椎〜第４腰椎を所定の高さで形成された湾曲面で押圧して腰椎の形状を矯正させつつ、第５腰椎より下に位置する仙骨や第１腰椎より上に位置する胸椎の湾曲形状には影響を与えず、第１腰椎や第５腰椎にはほとんど腰枕を当接させずに自然な高さで腰椎カーブを矯正することができる。
【００１５】
さらに、本発明の腰枕は、細長略直方体の断面円弧状に突出する上面の曲率半径が、腰椎側面視における、少なくとも第２腰椎の椎体前面の略中心部、第３腰椎の椎体前面の略中心部及び第４腰椎の椎体前面の略中心部を通る曲線の近似曲線の曲率半径Ｒが２４ｃｍ未満の場合には１９ｃｍ、２４ｃｍ以上の場合には２４ｃｍであることも好ましい。これにより、使用者の腰椎カーブの矯正をより好適に行うことのできる腰枕の上面のカーブ形状が選択される。
【発明の効果】
【００１６】
本発明によれば、以下のような優れた効果を有する腰枕の製造方法及び腰枕を提供することができる。
（１）使用者の骨格や脊柱の生理的湾曲の形状に合わせて、腰枕の高さや短手方向の幅長さ、断面円弧状に突出する上面の曲率半径を使用者に合わせたものとすることができ、使用者の腰椎の生理的湾曲や腰部の形状を好適に調整することができる腰枕が得られる。
（２）腰枕の高さを使用者の骨格に基づく所定の高さに設定することにより、腰椎カーブを理想的なバランスの取れた位置である、大腿骨頭の略中心部を通る鉛直線が第３腰椎の椎体を通るように使用者の腰椎の形状を矯正することができる。
（３）腰枕の短手方向の幅長さを所定の長さに設定することにより、第３腰椎を中心に第２腰椎〜第４腰椎を所定の高さで形成された湾曲面で押圧して腰椎の形状を矯正させつつ、第５腰椎より下に位置する仙骨や第１腰椎より上に位置する胸椎の湾曲形状には影響を与えず、第１腰椎や第５腰椎にはほとんど腰枕を当接させずに自然な高さで腰椎カーブを矯正することができる。
（４）腰枕の断面円弧状に突出する上面の曲率半径を所定の半径に設定することにより、使用者の腰椎カーブの矯正をより確実に行うことができる。
【図面の簡単な説明】
【００１７】
【図１】本発明の一実施形態に係る腰枕を示す（ａ）斜視図、（ｂ）側面図である。
【図２】腰椎近傍のエックス線腰椎側面（矢状面）像を模式的に示すと共に図１に示す腰枕の製造方法を示す説明図である。
【図３】図１に示す腰枕の使用方法を示す（ａ）説明図及び（ｂ）その部分拡大図である。
【発明を実施するための形態】
【００１８】
以下、図１〜図３を参照しつつ本発明の一実施形態に係る腰枕１及びその製造方法について説明する。図１に示すように、腰枕１は細長略直方体状であり、その上面１０はゆるやかな断面円弧状に突出する形状に形成されている。この腰枕１は、その断面円弧状に形成された上面１０を腰部に当接させて使用される。本実施形態にかかる腰枕１では、使用者の骨格や腰椎の生理的湾曲の形状に合うように腰枕の高さＨ、短手方向の長さＷ及び断面円弧状に突出する上面の曲率半径が設定されている。これらの腰枕の高さＨ、短手方向の長さＷ及び上面の曲率半径といった所定の値は、主に使用者のエックス線腰椎側面像に基づいて求められ、設計される。ここでエックス線腰椎側面像とは、使用者の腰椎を側面方向からレントゲン撮影することにより得られる画像である。このエックス線腰椎側面像は、使用者の自然な状態での腰椎カーブ及び骨格等の位置を把握するために、自然な立位状態で撮影されたものが好ましく、姿勢の補正も行われていないものが好ましい。また、このエックス線腰椎側面像では、少なくとも、使用者の第１腰椎から第５腰椎、臀部の最端部及び大腿骨頭の位置関係が１枚の画像内で確認できることが好ましい。
【００１９】
以下、腰椎近傍のエックス線腰椎側面（矢状面）像を模式的に示した図２を用いて、本発明の腰枕１を製造する際に、腰枕の高さＨ、短手方向の長さＷ及び断面円弧状に突出する上面の曲率半径を設計する方法について説明する。なお、エックス線腰椎側面像の説明の際に用いる上下方向とは被写体の頭足方向のことをいい、横方向及び横断方向とは被写体の腹背方向のことをいう。
【００２０】
まず、腰枕１の高さＨの設計方法について説明する。腰枕１の高さＨ、すなわち、底面１１から上面１０の頂部までの高さＨは、使用者の身体を側面（矢状面）から見た際に、大腿骨頭の略中心部３０を通る鉛直線Ｌ１と第３腰椎の椎体の略中心部２３２との間の水平方向の長さＡと、臀部の最端部５０と接する鉛直線Ｌ２と第３腰椎の高位の位置に相当する背部６０との間の水平方向の長さＢとの和（Ａ＋Ｂ）の値として求められる。
【００２１】
ここで、側面（矢状面）視における、大腿骨頭の略中心部３０を通る鉛直線Ｌ１と第３腰椎の椎体の略中心部２３２との間の水平方向の長さＡについて、詳細に説明する。図２の腰椎近傍のエックス線腰椎側面像を模式的に示す図によれば、大腿骨の上端に位置する大腿骨頭３が示されているところ、この大腿骨頭３の略中心部３０を通る鉛直線Ｌ１とは、大腿骨頭３を上下方向（縦方向）に略等分に分割する鉛直線である。具体的には、この鉛直線Ｌ１は、例えば、大腿骨頭３の側面視における横幅を上下方向（縦方向）に略２分する鉛直線や、大腿骨頭３の外縁で形成される円形状と近似する円の略中心を通る鉛直線とすることができる。他方、第３腰椎の椎体の略中心部２３２とは、図２に示すように、第３腰椎２３の側面視において、第３腰椎の棘突起２３３を除いた残りの略矩形状の部位において、対角線を描いた際の交点とすることが好ましい。この対角線の交点を第３腰椎の椎体の略中心部２３２とすることにより、図２に示すように、この交点２３２から鉛直線Ｌ１までの水平方向の長さＡが得られる。また、第３腰椎の椎体の略中心部２３２は、上述の交点に限定されず、第３腰椎２３の側面視において、第３腰椎の棘突起２３３を除いた残りの略矩形状の部位の横幅を上下方向に略２分する鉛直線上の点とするほか、第３腰椎２３の側面視において、第３腰椎２３の椎体２３０のみの略矩形状の部位における対角線を描いた際の交点とすること、第３腰椎２３の椎体２３０のみの横幅を上下方向に略２分する鉛直線上の点とすることも好ましい。
【００２２】
次に、側面（矢状面）視における、臀部の最端部５０と接する鉛直線Ｌ２と第３腰椎の高位の位置に相当する背部６０との間の水平方向の長さＢについて説明する。臀部の最端部５０と接する鉛直線Ｌ２とは、図２に示すように、臀部５の最も盛り上がった部分に当接する鉛直線である。他方、第３腰椎の高位の位置に相当する背部６０とは、図２に示すように、腰椎の高位から水平方向に引いた直線が背部６と接する位置である。第３腰椎の高位の位置とは、第３腰椎の上方周辺のことをいい、具体的には、第３腰椎の棘突起２３３のある位置、特に好ましくは、第３腰椎の棘突起２３３の上方周辺の位置のことをいう。これにより、図２に示すように、第３腰椎の高位の位置に相当する背部６０から鉛直線Ｌ２までの水平方向の長さＢが得られる。
【００２３】
上述したように、腰椎近傍のエックス線腰椎側面像に基づき、側面視における大腿骨頭の略中心部３０を通る鉛直線Ｌ１と第３腰椎の椎体の略中心部２３２との間の水平方向の長さＡと、臀部の最端部５０と接する鉛直線Ｌ２と第３腰椎の高位の位置に相当する背部６０との間の水平方向の長さＢの値が得られたことから、これらＡとＢとの和（Ａ＋Ｂ）の値が得られる。このＡ＋Ｂの値を本発明の腰枕１の枕の高さＨとし、腰枕を製造する。これにより、使用者の骨格に基づいて得られた矯正されるべき高さの腰枕を確実に得ることができる。このように、腰枕の高さＨを使用者の骨格に基づく所定の高さに設定することにより、腰椎カーブを理想的なバランス位置である大腿骨頭の略中心部３０を通る鉛直線Ｌ１が第３腰椎の椎体２３０を通るように使用者の腰椎の形状を矯正することができる。この方法により製造された腰枕１は枕高さＨの調整が必要なく、使用者の骨格や腰椎の形状に合っているものであるため、安心して矯正に使用することができる。
【００２４】
次に、図２を参照しつつ、本実施形態に係る腰枕の短手方向の長さＷの設計方法について説明する。腰枕１の短手方向の長さＷは、使用者の身体を側面（矢状面）から見た際に、第２腰椎の椎体上端部２２２を通る水平線Ｌ３と第４腰椎の椎体下端部２４２を通る水平線Ｌ４との間の鉛直方向の長さＣ１として求められる。ここで、第２腰椎の椎体上端部２２２を通る水平線Ｌ３とは、５つの腰椎２のうち、上から２番目の第２腰椎２２の椎体の上端部２２２を通る水平線である。水平線Ｌ３は第２腰椎の椎体２２０の上端部２２２に当接するか、上端部２２２を通る線であればよい。他方、第４腰椎の椎体下端部２４２を通る水平線Ｌ４とは、５つの腰椎２のうち、上から４番目の第４腰椎２４の椎体の下端部２４２を通る水平線である。水平線Ｌ４は第４腰椎の椎体２４０の下端部２４２に当接するか、下端部２４２を通る線であればよい。これにより、図２に示すように、水平線Ｌ３から水平線Ｌ４までの鉛直方向の長さＣ１が得られる。
【００２５】
また、第４腰椎の椎体下端部２４２の代わりに、一般的に第４腰椎２４と第５腰椎２５との間に位置する腸骨稜上端部４０の位置を用いて、本実施形態に係る腰枕の短手方向の長さＷを設計することも可能である。具体的には、第２腰椎の椎体上端部２２２を通る水平線Ｌ３と腸骨稜上端部４０を通る水平線Ｌ５との間の鉛直方向の長さＣ２として求めることができる。ここで、腸骨稜上端部４０を通る水平線Ｌ５とは、腸骨稜４の上端部４０に当接するか、上端部４０を通る線であればよい。これにより、図２に示すように、水平線Ｌ３から水平線Ｌ５までの鉛直方向の長さＣ２が得られる。
【００２６】
上述のようにして、腰椎近傍のエックス線腰椎側面像に基づき、水平線Ｌ３から水平線Ｌ４までの鉛直方向の長さＣ１又は水平線Ｌ３から水平線Ｌ５までの鉛直方向の長さＣ２が得られたことから、この値を本発明の腰枕の短手方向の長さＷとし、腰枕１を製造する。これにより、使用者の骨格に適した幅長さＷの腰枕を確実に得ることができる。それゆえ、第３腰椎２３を中心に第２腰椎２２〜第４腰椎２４を所定の高さで形成された湾曲面で押圧して腰椎２の形状を矯正させつつ、第５腰椎２５より下に位置する仙骨７や第１腰椎２１より上に位置する胸椎８の湾曲形状には影響を与えず、第１腰椎２１や第５腰椎２５にはほとんど腰枕を当接させずに自然な高さで腰椎カーブを矯正することができる。さらに、一般的に腰椎カーブの前弯が小さくなる等して腰椎カーブ形状が崩れると、本来であれば腰椎カーブの中心である第３腰椎よりも下位の腰椎に前弯の中心が位置することが多い。本発明により得られた腰枕１により、腰椎カーブの中心を第３腰椎とするように腰椎２の形状を好適に矯正することができる。
【００２７】
次に、本実施形態に係る腰枕１の断面円弧状に突出するように湾曲した上面１０の曲率半径の設計方法について説明する。まず、図２に示す腰椎近傍のエックス線腰椎側面像に基づき、側面視における第２腰椎２２、第３腰椎２３及び第４腰椎２４の各椎体前面の略中心部を通る曲線の近似曲線Ｌ６の曲率半径を求める。ここで、第２腰椎２２〜第４腰椎２４の各椎体前面の略中心部とは、例えば、腰椎近傍のエックス線腰椎側面像において、各腰椎椎体を横方向に略２分する線と各椎体前面の外縁とが交差する点や、各腰椎椎体の前面の外縁長さを略等分する点であることが好ましい。このように決定された各椎体前面の略中心部を通る曲線から当該曲線の近似曲線（近似円）を求めることにより、その曲率半径Ｒが得られる。また、この曲率半径Ｒを求める際には、第２腰椎２２、第３腰椎２３及び第４腰椎２４のみでなく、第１腰椎２１〜第５腰椎２５の５つ全ての腰椎を検討に入れ、これら５つの各椎体前面の略中心部を通る曲線の近似曲線Ｌ６の曲率半径Ｒを求めることも好ましい。このようにして、エックス線腰椎側面像に基づいて、使用者の腰椎カーブの曲率半径Ｒの値を得ることができる。ここで、理想的な腰椎カーブの曲率半径は１９ｃｍ程度とされているところ、ここで得られた使用者の腰椎カーブの曲率半径Ｒの値が２４ｃｍ以上の場合に、腰枕上面の曲率半径を１９ｃｍとしてしまうと、使用者の腰椎カーブの角度と腰枕上面のカーブとの差が大きくなり、使用の際に違和感が感じられたり、適正な矯正がなされ難い。そのため、上述の手法にて得られた曲率半径Ｒが２４ｃｍ未満の場合には腰枕上面の曲率半径を１９ｃｍとし、曲率半径Ｒが２４ｃｍ以上である場合には腰枕上面の曲率半径を２４ｃｍとして腰枕を製造する。これにより、使用者の腰椎カーブの矯正をより好適に行うことのできる曲率半径を有する腰枕１が得られる。
【００２８】
腰枕１を形成するための材料としては、使用した場合においても設計された枕の高さＨ、短手方向の長さＷ、及び上面の円弧の曲率半径が大きく変化しないような材料が用いられる。具体的には、特に限定されないが、硬質ウレタンフォーム等の硬質発泡プラスチック、硬質固綿、ビーズ、木材、積層させた紙や布等が挙げられる。ただし、固すぎると使用感を損なうことがあるため、適度な弾性を有していることが好ましい。また、上述の材料により製造された腰枕１を柔らかな感触を与えるカバーに入れて使用することも好ましい。
【００２９】
次に、図３を参照しつつ、本実施形態における腰枕１の使用方法について説明する。本実施形態における腰枕１は、主に仰臥位において、湾曲した上面１０を腰部に当接させて使用される。この際、腰枕１は使用者の骨格に基づいて設計された矯正されるべき高さＨで使用者の腰部を押圧する。これにより、腰椎カーブを理想的なバランス位置である大腿骨頭の略中心部３０を通る鉛直線Ｌ１が第３腰椎の椎体２３０を通るように使用者の腰椎の形状を矯正することができる。また、腰枕の短手方向の幅長さＷが使用者の第２腰椎２２〜第４腰椎２４の間の長さで形成されていることにより、第３腰椎２３を中心に第２腰椎２２〜第４腰椎２４を所定の高さで形成された湾曲面で押圧して腰椎２の形状を矯正させつつ、第５腰椎２５より下に位置する仙骨７や第１腰椎２１より上に位置する胸椎８の湾曲形状には影響を与えず、第１腰椎２１や第５腰椎２５にはほとんど腰枕を当接させずに自然な高さで腰椎カーブを矯正することができる。また、使用する際に腰枕の設置位置がずれてしまった場合においても、第５腰椎２５より下に位置する仙骨７や第１腰椎２１より上に位置する胸椎８の湾曲形状には影響を与えずに腰椎カーブを矯正することができる。さらに、腰枕１の断面円弧状に突出する上面１０の曲率半径を所定の半径に設定することにより、使用者の腰椎カーブの矯正をより好適に行うことができる。
【００３０】
本発明は、上記の実施形態に限定されるものでなく、特許請求の範囲に記載された発明の要旨を逸脱しない範囲内での種々、設計変更した形態も技術的範囲に含むものである。
【符号の説明】
【００３１】
１  腰枕
１０  上面
１１  底面
１２  側面
１３  正面
Ｈ  枕の高さ
Ｗ  枕の短手方向の長さ
２  腰椎
２１  第１腰椎
２１０  第１腰椎の椎体
２１１  第１腰椎の椎体前面の中心部
２２  第２腰椎
２２０  第２腰椎の椎体
２２１  第２腰椎の椎体前面の中心部
２２２  第２腰椎の椎体上端部
２３  第３腰椎
２３０  第３腰椎の椎体
２３１  第３腰椎の椎体前面の中心部
２３２  第３腰椎の椎体の略中心部
２３３  第３腰椎の棘突起
２４  第４腰椎
２４０  第４腰椎の椎体
２４１  第４腰椎の椎体前面の中心部
２４２  第４腰椎の椎体下端部
２５  第５腰椎
２５０  第５腰椎の椎体
２５１  第５腰椎の椎体前面の中心部
３  大腿骨頭
３０  大腿骨頭の中心部
４  腸骨稜
４０  腸骨稜上端部
５  臀部
５０  臀部の最端部
６  背部
６０  第３腰椎の高位の位置に相当する背部
７  仙骨
８  第１２胸椎
Ｌ１  大腿骨頭の略中心部を通る鉛直線
Ｌ２  臀部の最端部と接する鉛直線
Ｌ３  第２腰椎の椎体上端部を通る水平線
Ｌ４  第４腰椎の椎体下端部を通る水平線
Ｌ５  腸骨稜上端部を通る水平線
Ｌ６  第２腰椎の椎体前面の略中心部、第３腰椎の椎体前面の略中心部及び第４腰椎の椎体前面の略中心部を通る曲線の近似曲線
Ａ  大腿骨頭の略中心部を通る鉛直線から第３腰椎椎体の略中心部までの水平方向の長さ
Ｂ  臀部の最端部と接する鉛直線から第３腰椎の高位の位置に相当する背部までの水平方向の長さ
Ｃ１  第２腰椎の椎体上端部を通る水平線と、第４腰椎の椎体下端部を通る水平線との間の鉛直方向の長さ
Ｃ２  第２腰椎の椎体上端部を通る水平線と、腸骨稜上端部を通る水平線との間の鉛直方向の長さ
Ｒ  第２腰椎の椎体前面の略中心部、第３腰椎の椎体前面の略中心部及び第４腰椎の椎体前面の略中心部を通る曲線の近似曲線の曲率半径
【図１】
2015043825.tif 000003
【図２】
2015043825.tif 000004
【図３】
2015043825.tif 000005